(57)【要約】      （修正有）【課題】簡単な構造であり、かつ、通常の材料により形成される薄い電極構造を備える、使い勝手の良い微弱電流シートを提供する。【解決手段】互いに電位差を有する正電極部と負電極部と、前記正電極部と前記負電極部とを電気的に接続するシート状の導電部とを有し、前記正電極部と負電極部の間の前記導電部を覆うように配置された絶縁材５と、を有する微弱電流シート１である。前記絶縁材５は、前記正電極部を構成する正電極箔３と、前記負電極部を構成する負電極箔４の対向する縁部の各箔の内側の所定位置まで延在している。【選択図】図１
2019126721.tif 000002
【特許請求の範囲】
【請求項１】
互いに電位差を有する正電極部と負電極部と、
前記正電極部と前記負電極部とを電気的に接続するシート状の導電部とを有し、
前記正電極部と負電極部の間の前記導電部を覆うように配置された絶縁材と、を有することを特徴とする微弱電流シート。
【請求項２】
請求項１に記載の微弱電流シートであって、
前記絶縁材は、前記正電極部を構成する箔と、前記負電極部を構成する箔の対向する縁部の各箔の内側の所定位置まで延在していることを特徴とする微弱電流シート。
【請求項３】
請求項１または２に記載の微弱電流シートであって、
前記正電極部を構成する箔と前記負電極部を構成する箔は、前記導電部のシート周縁の内側の所定位置まで延在し、
前記絶縁材は、前記正電極部を構成する箔と前記負電極部を構成する箔の外側の所定位置から各箔の内側の所定位置まで延在していることを特徴とする微弱電流シート。
【請求項４】
請求項１〜３のいずれか一項に記載の微弱電流シートであって、
前記導電部の前記正負電極部がある面の反対側の面に貼着された絶縁シートを有していることを特徴とする微弱電流シート。
【請求項５】
絶縁シートと、
前記絶縁シート上に配置された導電部と、
電位差を有する異なる金属からなり、前記導電部に電気接続し、離間して配置された正電極部と負電極部と、
前記正電極部と前記負電極部の間の空間に、前記導電部を覆うように配置された絶縁材と、を有することを特徴とする微弱電流シート。
【請求項６】
請求項５に記載の微弱電流シートであって、
前記絶縁材は、前記正電極部を構成する箔と前記負電極部を構成する箔の対向する縁部の各箔の内側の所定位置まで延在していることを特徴とする微弱電流シート。
【請求項７】
請求項５または６に記載の微弱電流シートであって、
前記正電極部を構成する箔と前記負電極部を構成する箔は、前記絶縁シートの周縁の内側の所定位置まで延在し、
前記絶縁材は、前記絶縁シートの周縁部から各電極部を構成する箔の内側の所定位置まで延在していることを特徴とする微弱電流シート。
【請求項８】
請求項１〜７のいずれか一項に記載の微弱電流シートであって、
前記導電部の一部を前記正電極部または前記負電極部としたことを特徴とする微弱電流シート。
【請求項９】
請求項１〜８のいずれか一項に記載の微弱電流シートであって、
前記正電極部と前記負電極部は、少なくとも２個が正負交互に配置されていることを特徴とする微弱電流シート。
【請求項１０】
請求項１〜９のいずれか一項に記載の微弱電流シートであって、
前記正電極部と負電極部の上に保湿剤が配置され、
前記正電極部と負電極部の保湿剤は互いに分離されていることを特徴とする微弱電流シート。
【請求項１１】
請求項１０に記載の微弱電流シートであって、
前記微弱電流シートの、前記保湿剤が配置されている面の反対側の面に弾性を有する押え板が貼着されていることを特徴とする微弱電流シート。
【請求項１２】
請求項１０または１１に記載の微弱電流シートであって、
前記正電極部と負電極部の間の前記シート状導電部と前記絶縁材が、稜状に折られて前記保湿剤を分離する分離板を形成していることを特徴とする微弱電流シート。
【請求項１３】
請求項１０または１１に記載の微弱電流シートであって、
前記正電極部と負電極部の保湿剤の間に絶縁性の分離体が設けられていることを特徴とする微弱電流シート。
【請求項１４】
請求項１０または１１に記載の微弱電流シートであって、
前記正電極部と負電極部の保湿剤の間に絶縁性の分離紙が設けられていることを特徴とする微弱電流シート。
【請求項１５】
シート状の導電部と、
前記導電部上に配置された、長孔を有する絶縁シートと、
前記長孔の長手方向に直交する方向に配置された細長状の正電極部を構成する箔と負電極部を構成する箔と、
前記正電極部を構成する箔と前記負電極部を構成する箔の間の前記導電部を覆うように配置された絶縁材と、を有することを特徴とする微弱電流シート。
【請求項１６】
請求項１５に記載の微弱電流シートであって、
前記導電部は、導電性を有する弾性体からなることを特徴とする微弱電流シート。
【請求項１７】
請求項１５または１６に記載の微弱電流シートであって、
前記正電極部を構成する箔と前記負電極部を構成する箔は、前記導電部のシートの周縁の内側の所定位置まで延在し、
前記絶縁材は、前記導電部のシートの周縁部から前記正電極部を構成する箔と前記負電極部を構成する箔の端部の内側の所定位置まで延在していることを特徴とする微弱電流シート。
【請求項１８】
シート状の導電部と、
前記導電部上に配置された細長状の正電極部を構成する箔または負電極部を構成する箔と、
前記正電極部を構成する箔または前記負電極部を構成する箔と交差し、前記正電極部を構成する箔または前記負電極部を構成する箔の上に配置された極性が正負反対の正電極部を構成する箔または負電極部を構成する箔と、
前記導電部上に配置された前記正電極部を構成する箔または前記負電極部を構成する箔の周縁部、及び、前記正電極部を構成する箔と前記負電極部を構成する箔が交差する部分の縁部を覆うように配置された絶縁材と、を有することを特徴とする微弱電流シート。
【請求項１９】
正電極部を構成する箔または負電極部を構成する箔と、
前記正電極部を構成する箔または前記負電極部を構成する箔と電気的に接続し、前記正電極部を構成する箔または前記負電極部を構成する箔の上に配置された極性が正負反対の正電極部を構成する箔または負電極部を構成する箔と、
前記正電極部を構成する箔と前記負電極部を構成する箔の周縁部、及び、前記正電極部を構成する箔と前記負電極部を構成する箔が電気的に接続する部分の縁部を覆うように配置された絶縁材と、を有することを特徴とする微弱電流シート。
【請求項２０】
請求項１〜１９のいずれか一項に記載の微弱電流シートであって、
前記微弱電流シートの前記電極部を有する面に塗布された導電性を有する粘着剤と、
前記粘着剤に剥離可能に貼着された剥離紙と、
前記微弱電流シートの前記電極部を有する面の反対側の面に配置された弾力性を有する床板材と、を有することを特徴とする微弱電流シート。
【請求項２１】
請求項１〜４，９〜１４，２０のいずれか一項に記載の微弱電流シートであって、
前記正負電極部を構成する箔は細長形状を有し、少なくとも２個が正負交互にほぼ平行に配置されていることを特徴とする微弱電流シート。
【請求項２２】
請求項１〜４，９〜１４，２０のいずれか一項に記載の微弱電流シートであって、
前記正負電極部を構成する箔は円環形状を有し、少なくとも２個が正負交互にほぼ等間隔に配置されていることを特徴とする微弱電流シート。
【請求項２３】
請求項１〜４，９〜１４，２０のいずれか一項に記載の微弱電流シートであって、
前記正負電極部を構成する箔は楕円のリング形状を有し、少なくとも２個が正負交互にほぼ等間隔に配置されていることを特徴とする微弱電流シート。
【請求項２４】
請求項１〜４，９〜１４，２０のいずれか一項に記載の微弱電流シートであって、
前記正負電極部を構成する箔は楕円の一部が内側に凹んだリング形状を有し、少なくとも２個が正負交互にほぼ等間隔に配置されていることを特徴とする微弱電流シート。
【請求項２５】
請求項１〜４，９〜１４，２０のいずれか一項に記載の微弱電流シートであって、
前記正負電極部を構成する箔は楕円の一部の曲線形状を有し、少なくとも２個が正負交互にほぼ等間隔に配置されていることを特徴とする微弱電流シート。
【請求項２６】
請求項１〜４，９〜１４，２０のいずれか一項に記載の微弱電流シートであって、
前記正負電極部を構成する箔は曲線のリング形状であってほぼ中心部分で対称に分割された形状を有し、少なくとも２個が正負交互にほぼ等間隔に配置されていることを特徴とする微弱電流シート。
【請求項２７】
請求項１〜４，９〜１４，２０のいずれか一項に記載の微弱電流シートであって、
前記正負電極部を構成する箔は細長形状を有し、少なくとも２個が正負交互にほぼ平行に配置され、
前記絶縁材は開口部を有し、前記開口部は前記正負電極部を構成する箔と直交する方向に列状に配列され、前記開口部を介して正電極露出部と負電極露出部を交互に露出するように配列されていることを特徴とする微弱電流シート。
【請求項２８】
請求項１〜２７のいずれか一項に記載の微弱電流シートであって、
前記微弱電流シートを接着し、前記微弱電流シートの周縁から延出する部分を有し、該延出した部分に粘着剤を有している貼り付けシートを有していることを特徴とする微弱電流シート。
【請求項２９】
請求項２８に記載の微弱電流シートであって、
前記貼り付けシートは、該貼り付けシートの周縁部に粘着剤を塗布した周縁糊付け部と該貼り付けシートの中央部に粘着剤を塗布した中央糊付け部を有し、前記周縁糊付け部の内縁は前記微弱電流シートの外周と一致し、前記中央糊付け部の外周は前記微弱電流シートの外周の内側に位置していることを特徴とする微弱電流シート。
【請求項３０】
請求項１〜２８のいずれか一項に記載の微弱電流シートであって、
全面に粘着剤を有し、内部に開口部を有し、前記開口部の内縁部は前記微弱電流シートの周縁部と接着し、前記開口部の内縁の少なくとも一部は前記微弱電流シートの周縁の外側に突出して剥離部を形成している貼り付けシートを有していることを特徴とする微弱電流シート。
【請求項３１】
請求項１〜２８のいずれか一項に記載の微弱電流シートであって、
全面に粘着剤を有し、内部に開口部を有し、前記開口部の内縁部は前記微弱電流シートの周縁部と接着し、前記開口部の内縁の少なくとも一部は前記微弱電流シートの周縁の一部と一致して剥離部を形成している貼り付けシートを有していることを特徴とする微弱電流シート。
【請求項３２】
請求項１〜３１のいずれか一項に記載の微弱電流シートであって、
横長な形状を有する本体部と、前記本体部の両端部に立ち上がり部と水平部を有し、前記水平部に紐が取り付けられている押さえ補助具を有し、前記押さえ補助具の前記本体部底面に取り替え可能に貼着されていることを特徴とする微弱電流シート。
【請求項３３】
貼着可能な正電極箔を有し、貼着面の反対の側の面に正電極露出部を有する正電極片と、
貼着可能な負電極箔を有し、貼着面の反対の側の面に負電極露出部を有する負電極片と、
前記正電極片の前記正電極露出部と前記負電極片の前記負電極露出部を電気的に接続でき、前記正電極露出部と前記負電極露出部の間が絶縁されている導電部と、を有している、ことを特徴とする微弱電流シート。
【請求項３４】
請求項３３に記載の微弱電流シートであって、
前記正電極片は、
絶縁材からなり、一つの面に粘着剤を有し、開口部を有する貼り付けシートと、
導電性材料からなり、前記貼り付けシートに貼着され、前記貼り付けシートの開口部を介して前記貼り付けシートの貼着面の反対側の面に正電極露出部を形成する正電極箔とを有し、
前記負電極片は、
絶縁材からなり、一つの面に粘着剤を有し、開口部を有する貼り付けシートと、
導電性材料からなり、前記貼り付けシートに貼着され、前記貼り付けシートの開口部を介して前記貼り付けシートの貼着面の反対側の面に負電極露出部を形成する負電極箔とを有し、
前記導電部は、
絶縁材からなり、一つの面に粘着剤を有する貼り付けシートと、
前記貼り付けシートに貼着され、前記貼り付けシートの貼着面の反対側の面の中央部分に絶縁部とを設けている、
ことを特徴とする微弱電流シート。
【発明の詳細な説明】
【技術分野】
【０００１】
本発明は、皮膚などに微弱電流を流す微弱電流シートに関する。
【背景技術】
【０００２】
人間の皮膚に微弱な電流を流し、健康を促進する療法が広く行われている。人体に適切な微弱電流を与えることにより、人間の自然治癒力が高まると言われている。そのことに着目した治療法として、マイクロカレントセラピーが挙げられる。マイクロカレントセラピーは、外部から人工的に微弱電流を流すことにより、傷の修復に必要なＡＴＰ（アデノシン三燐酸）酵素の生成や、たんぱく質の合成を促進するものである。マイクロカレントセラピーは特に外傷の治療に効果があると言われている。また、外傷の治療を目的としたものではないが、人間の皮膚に微弱電流を流すことにより、人体内に本来的に流れているバイオ電流の乱れを整え、人間の細胞組織のイオン配列を整え、これによって病気の予防や治癒に役立てることも広く行われている。このような微弱電流治療器として、種々の微弱電流発生装置が開発され製品化されている。
【０００３】
特許文献１には、標準単極電位より電位が高い金属電極と、前記標準単極電位より電位が低い半導体電極を電気的に接続し、金属電極と半導体電極を人間の皮膚に当てて微弱電流を流す経皮投薬用素子が記載されている。
【０００４】
特許文献２には、弾力性と導電性を有する基板に圧電体を平板状に設け、その基板と圧電体を粘着シートやサポーターで人体表面に固定し、圧電体に圧力をかけて微弱電流を皮膚内に通電する微弱電流施療具が記載されている。
【先行技術文献】
【特許文献】
【０００５】
【特許文献１】特許第２７９７１１８号公報
【特許文献２】特開２００６−３２０７０４号公報
【発明の概要】
【発明が解決しようとする課題】
【０００６】
特許文献１記載の技術は、電極に金属電極と半導体電極とを用いている。半導体電極は限られた材料しか用いることができず、一般的な金属電極に比べれば高価である。また、特許文献１の技術は、金属電極と半導体電極を導線で接続するが、強度を有しつつ薄型化する点では十分ではなく、かつ、電極の面の全体で微弱電流を流すようにする点も十分ではなかった。
【０００７】
特許文献２の技術は、電位差がある電極を用いるのではなく、圧電体を用いている。圧電体は、圧力がかかることにより起電力を生じるため、特許文献２の微弱電流施療具は、圧力をかける必要がある。微弱電流は長時間定常的に流れることにより、人体内の生体電流を整える効果を生じるため、圧力をかけたときだけ電流が流れる構造では十分な治療効果が得られないことがあった。
【０００８】
本発明は、上記の課題の少なくとも一つを解決すべくなされたものであり、簡単な構造と通常の材料により薄い電極構造を得られ、使い勝手の良い微弱電流シートを提供することを目的とするものである。
【課題を解決するための手段】
【０００９】
上述した課題を解決するために、本発明の微弱電流シートは、
互いに電位差を有する正電極部と負電極部と、前記正電極部と前記負電極部とを電気的に接続するシート状の導電部とを有し、前記正電極部と負電極部の間の前記導電部を覆うように配置された絶縁材と、を有することを特徴とする。
【００１０】
前記絶縁材は、前記正電極部を構成する箔と、前記負電極部を構成する箔の対向する縁部の各箔の内側の所定位置まで延在していてもよい。
【００１１】
前記正電極部を構成する箔と前記負電極部を構成する箔は、前記導電部のシート周縁の内側の所定位置まで延在し、前記絶縁材は、前記正電極部を構成する箔と前記負電極部を構成する箔の外側の所定位置から各箔の内側の所定位置まで延在するようにしてもよい。
【００１２】
前記導電部の前記正負電極部がある面の反対側の面に貼着された絶縁シートを有するようにしてもよい。
【００１３】
絶縁シートと、前記絶縁シート上に配置された導電部と、電位差を有する異なる金属からなり、前記導電部に電気接続し、離間して配置された正電極部と負電極部と、前記正電極部と前記負電極部の間の空間に、前記導電部を覆うように配置された絶縁材と、を有するようにしてもよい。
前記絶縁材は、前記正電極部を構成する箔と前記負電極部を構成する箔の対向する縁部の各箔の内側の所定位置まで延在するようにしてもよい。
【００１４】
前記正電極部を構成する箔と前記負電極部を構成する箔は、前記絶縁シートの周縁の内側の所定位置まで延在し、前記絶縁材は、前記絶縁シートの周縁部から各電極部を構成する箔の内側の所定位置まで延在するようにしてもよい。
【００１５】
前記導電部または前記導電体の一部を前記正電極部または前記負電極部としてもよい。
【００１６】
前記正電極部と前記負電極部は、少なくとも２個が正負交互に配置されていてもよい。
【００１７】
前記正電極部と負電極部の上に保湿剤が配置され、前記正電極部と負電極部の保湿剤は互いに分離されているようにしてもよい。
【００１８】
前記微弱電流シートの、前記保湿剤が配置されている面の反対側の面に弾性を有する押え板が貼着されていてもよい。
【００１９】
前記正電極部と負電極部の間の前記シート状導電部と前記絶縁材が、稜状に折られて前記保湿剤を分離する分離板を形成するようにしてもよい。
【００２０】
前記正電極部と負電極部の保湿剤の間に絶縁性の分離体が設けられていてもよい。
【００２１】
前記正電極部と負電極部の保湿剤の間に絶縁性の分離紙が設けられていてもよい。
【００２２】
シート状の導電部と、前記導電部上に配置された、長孔を有する絶縁シートと、前記長孔の長手方向に直交する方向に配置された細長状の正電極部を構成する箔と負電極部を構成する箔と、前記正電極部を構成する箔と前記負電極部を構成する箔の間の前記導電部を覆うように配置された絶縁材と、を有するようにしてもよい。
【００２３】
前記導電部は、導電性を有する弾性体からなるようにしてもよい。
【００２４】
前記正電極部を構成する箔と前記負電極部を構成する箔は、前記導電部のシートの周縁の内側の所定位置まで延在し、前記絶縁材は、前記導電部のシートの周縁部から前記正電極部を構成する箔と前記負電極部を構成する箔の端部の内側の所定位置まで延在しているようにしてもよい。
【００２５】
シート状の導電部と、前記導電部上に配置された細長状の正電極部を構成する箔または負電極部を構成する箔と、前記正電極部を構成する箔または前記負電極部を構成する箔と交差し、前記正電極部を構成する箔または前記負電極部を構成する箔の上に配置された極性が正負反対の正電極部を構成する箔または負電極部を構成する箔と、前記導電部上に配置された前記正電極部を構成する箔または前記負電極部を構成する箔の周縁部、及び、前記正電極部を構成する箔と前記負電極部を構成する箔を構成する箔が交差する部分の縁部を覆うように配置された絶縁材と、を有するようにしてもよい。
【００２６】
正電極部を構成する箔または負電極部を構成する箔と、前記正電極部を構成する箔または前記負電極部を構成する箔と電気的に接続し、前記正電極部を構成する箔または前記負電極部を構成する箔の上に配置された極性が正負反対の正電極部を構成する箔または負電極部を構成する箔と、前記正電極部を構成する箔と前記負電極部を構成する箔の周縁部、及び、前記正電極部を構成する箔と前記負電極部を構成する箔が接続する部分の縁部を覆うように配置された絶縁材と、を有するようにしてもよい。
【００２７】
前記微弱電流シートの前記電極部を有する面に塗布された導電性を有する粘着剤と、前記粘着剤に剥離可能に貼着された剥離紙と、前記微弱電流シートの前記電極部を有する面の反対側の面に配置された弾力性を有する床板材と、を有するようにしてもよい。
【００２８】
前記正負電極部を構成する箔は細長形状を有し、少なくとも２個が正負交互にほぼ平行に配置されているようにしてもよい。
【００２９】
前記正負電極部を構成する箔は円環形状を有し、少なくとも２個が正負交互にほぼ等間隔に配置されているようにしてもよい。
【００３０】
前記正負電極部を構成する箔は楕円のリング形状を有し、少なくとも２個が正負交互にほぼ等間隔に配置されているようにしてもよい。
【００３１】
前記正負電極部を構成する箔は楕円の一部が内側に凹んだリング形状を有し、少なくとも２個が正負交互にほぼ等間隔に配置されているようにしてもよい。
【００３２】
前記正負電極部を構成する箔は楕円の一部の曲線形状を有し、少なくとも２個が正負交互にほぼ等間隔に配置されているようにしてもよい。
【００３３】
前記正負電極部を構成する箔は曲線のリング形状であってほぼ中心部分で対称に分割された形状を有し、少なくとも２個が正負交互にほぼ等間隔に配置されているようにしてもよい。
【００３４】
前記正負電極部を構成する箔は細長形状を有し、少なくとも２個が正負交互にほぼ平行に配置され、前記絶縁材は開口部を有し、前記開口部は前記正負電極部を構成する箔と直交する方向に列状に配列され、前記開口部を介して正電極露出部と負電極露出部を交互に露出するように配列されているようにしてもよい。
【００３５】
前記微弱電流シートを接着し、前記微弱電流シートの周縁から延出する部分を有し、該延出した部分に粘着剤を有している貼り付けシートを有しているようにしてもよい。
【００３６】
前記貼り付けシートは、該貼り付けシートの周縁部に粘着剤を塗布した周縁糊付け部と該貼り付けシートの中央部に粘着剤を塗布した中央糊付け部を有し、前記周縁糊付け部の内縁は前記微弱電流シートの外周と一致し、前記中央糊付け部の外周は前記微弱電流シートの外周の内側に位置しているようにしてもよい。
【００３７】
全面に粘着剤を有し、内部に開口部を有し、前記開口部の内縁部は前記微弱電流シートの周縁部と接着し、前記開口部の内縁の少なくとも一部は前記微弱電流シートの周縁の外側に突出して剥離部を形成している貼り付けシートを有しているようにしてもよい。
【００３８】
全面に粘着剤を有し、内部に開口部を有し、前記開口部の内縁部は前記微弱電流シートの周縁部と接着し、前記開口部の内縁の少なくとも一部は前記微弱電流シートの周縁の一部と一致して剥離部を形成している貼り付けシートを有しているようにしてもよい。
【００３９】
横長な形状を有する本体部と、前記本体部の両端部に立ち上がり部と水平部を有し、前記水平部に紐が取り付けられている押さえ補助具を有し、前記押さえ補助具の前記本体部底面に取り替え可能に貼着されているようにしてもよい。
【００４０】
本発明の微弱電流シートは、貼着可能な正電極箔を有し、貼着面の反対の側の面に正電極露出部を有する正電極片と、貼着可能な負電極箔を有し、貼着面の反対の側の面に負電極露出部を有する負電極片と、前記正電極片の前記正電極露出部と前記負電極片の前記負電極露出部を電気的に接続でき、前記正電極露出部と前記負電極露出部の間が絶縁されている導電部を有している、ことを特徴とする。
【００４１】
前記正電極片は、絶縁材からなり、一つの面に粘着剤を有し、開口部を有する貼り付けシートと、導電性材料からなり、前記貼り付けシートに貼着され、前記貼り付けシートの開口部を介して前記貼り付けシートの貼着面の反対側の面に正電極露出部を形成する正電極箔を有し、前記負電極片は、絶縁材からなり、一つの面に粘着剤を有し、開口部を有する貼り付けシートと、導電性材料からなり、前記貼り付けシートに貼着され、前記貼り付けシートの開口部を介して前記貼り付けシートの貼着面の反対側の面に負電極露出部を形成する負電極箔を有し、前記導電部は、絶縁材からなり、一つの面に粘着剤を有する貼り付けシートと、前記貼り付けシートに貼着され、前記貼り付けシートの貼着面の反対側の面の中央部分に絶縁部を設けているようにしてもよい。
【発明の効果】
【００４２】
本発明によれば、簡単な構造と通常の材料により薄い電極構造を得られ、使い勝手の良い微弱電流シートが提供される。
【図面の簡単な説明】
【００４３】
【図１】本発明の一実施形態による微弱電流シートの構造を分解して示した説明図。
【図２】本発明の一実施形態による微弱電流シートの電流の流れを示した説明図。
【図３】本発明の一実施形態による微弱電流シートを示した斜視図。
【図４】本発明の一実施形態による微弱電流シートの電流の流れを示した説明図。
【図５】本発明の一実施形態による微弱電流シートの構造を分解して示した説明図。
【図６】本発明の一実施形態による微弱電流シートの断面図。
【図７】本発明の一実施形態による微弱電流シートの断面図。
【図８】本発明の一実施形態による微弱電流シートの構造を分解して示した説明図。
【図９】本発明の一実施形態による微弱電流シートの断面図。
【図１０】本発明の一実施形態による微弱電流シートの構造を分解して示した説明図。
【図１１】本発明の一実施形態による微弱電流シートの電流の流れを示した説明図。
【図１２】本発明の一実施形態による微弱電流シートの構造を分解して示した説明図。
【図１３】本発明の一実施形態による微弱電流シートの構造を分解して示した説明図。
【図１４】本発明の一実施形態による微弱電流シートの構造を分解して示した説明図。
【図１５】本発明の一実施形態による微弱電流シートの構造を分解して示した説明図。
【図１６】本発明の一実施形態による微弱電流シートの構造を分解して示した説明図。
【図１７】本発明の一実施形態による微弱電流シートの断面図。
【図１８】本発明の一実施形態による微弱電流シートの断面図。
【図１９】本発明の一実施形態による微弱電流シートの断面図。
【図２０】本発明の一実施形態による微弱電流シートの断面図。
【図２１】本発明の一実施形態による微弱電流シートの平面図と断面図。
【図２２】本発明の一実施形態による微弱電流シートの断面図。
【図２３】本発明の一実施形態による微弱電流シートの平面図。
【図２４】本発明の一実施形態による微弱電流シートの平面図。
【図２５】本発明の一実施形態による微弱電流シートの平面図。
【図２６】本発明の一実施形態による微弱電流シートの平面図。
【図２７】本発明の一実施形態による微弱電流シートの平面図。
【図２８】本発明の一実施形態による微弱電流シートの平面図。
【図２９】本発明の一実施形態による微弱電流シートの平面図。
【図３０】本発明の一実施形態による微弱電流シートの平面図。
【図３１】本発明の一実施形態による微弱電流シートの説明図。
【図３２】本発明の一実施形態による微弱電流シートの説明図。
【図３３】本発明の一実施形態による微弱電流シートの説明図。
【図３４】本発明の一実施形態による微弱電流シートの説明図。
【図３５】貼り付けテープを用いた本発明の一実施形態による微弱電流シートの説明図。
【図３６】本発明の一実施形態による微弱電流シートの断面図。
【図３７】本発明の一実施形態による微弱電流シートの断面図。
【図３８】本発明の一実施形態による微弱電流シートの斜視図と使用状態の説明図。
【図３９】本発明の一実施形態による微弱電流シートの構成を分解して示した平面図と使用状態の説明図。
【図４０】本発明の一実施形態の変形例の平面図。
【発明を実施するための形態】
【００４４】
以下に本発明の例である実施形態を、図面を用いて説明する。
【００４５】
図１及び図２は本発明の一実施形態による微弱電流シートを示している。図１は、本実施形態の微弱電流シート１の構造を分解して示しており、図２は、電流の流れを示した微弱電流シート１の横断面を示している。
【００４６】
図１に示すように、微弱電流シート１は、導電シート２と、正電極箔３と、負電極箔４と、絶縁材５とを有している。
【００４７】
導電シート２は、導電性を有するシート状のものであればよく、アルミ板を含む金属シート、金属膜や金属シートを含む樹脂シート、導電体や導電性繊維を混入させた樹脂シート等を用いることができる。また、導電シート２は硬さのある板状のものであっても良い。
【００４８】
正電極箔３と負電極箔４は、電位差を有する異なる金属からなり、形態としては薄膜でも薄い金属片でもよい。また、正電極箔３と負電極箔４は、導電シート２に蒸着やスパッタリングやメッキによって導電シート２上に形成した層でもよい。
【００４９】
これらは、異種金属接触腐食や局部電池とも呼ばれる標準電極電位から、正電極箔３はカソード部品とも呼ばれ、例えば金（Ａｕ＋）、原子量１９７．２、標準電極電位は＋１．５０ボルト、負電極箔４はアノード部品とも呼ばれ、例えば、アルミニウム（Ａｌ＋＋＋）原子量２６．９７、標準電極電位は−１．３３７ボルト、亜鉛（Ｚｎ＋＋）原子量６５．３８、標準電極電位−０．７６２ボルト、となる。導電シート２上に形成しやすく、肌に障害のない金属を適宜選択することが好ましい。
【００５０】
また、これらの各電極箔の表面に小さな凸凹を設けるとことで、肌との接触を滑らかにしたり、肌との接触を促進したり、均一にする事が出来る。凸凹は、例えばサンドブラスト仕上げの様なものや、筋状や、網状、イボ状などの模様を設けても良い。
【００５１】
絶縁材５は、絶縁体からなり、シート状のもの、あるいは、膜や層のようなものである。絶縁材５は、正電極箔３と負電極箔４の間に設けられ、導電シート２を覆うようになっている。絶縁材５はシール状のものでもよいし、溶剤に溶かした絶縁体を塗布したものでもよい。
【００５２】
以後の各説明で、例えば、導電シート２にアルミニウムのシートを使用して、正電極箔３に例えば金を使用した場合に、導電シート２（アルミニウムシート）をそのまま負電極箔４とすることで、新たな負電極箔を形成することを不要とすることができる。
【００５３】
また、正電極箔３を例えば、銀（Ａｇ＋）原子量１０７．８８、標準電極電位は＋０．７９９や、銅（Ｃｕ＋＋）原子量６３．５４、標準電極電位＋０．３４５で導電シート２を構成することで、正電極箔３を導電シート２で賄うことが出来るため、正電極箔を形成することを不要とすることができる。
【００５４】
絶縁材５は、導電シート２を覆うようになっていればよいが、図１に示すように、正電極箔３と負電極箔４の対向する縁部の内側の所定位置まで延在するようにしてもよい。すなわち、正電極箔３と負電極箔４の対向する縁部は絶縁材５の一部と重なり合っているようにしてもよい。このように絶縁材５が正電極箔３と負電極箔４の対向する縁部の内側の所定位置まで延在することにより、正電極箔３と負電極箔４が導電シート２に短絡して電流が流れるのを防止することができる。
【００５５】
図２は、微弱電流シート１の断面と微弱電流シート１の周囲で流れる電流を示している。
【００５６】
正電極箔３と負電極箔４は、電位差を有しているため、人の肌６に触れると、肌６を介して電池回路を形成する。すなわち、負電極部からイオンが電離し、電子が導電部を通って正電極部に移動し、正電極部と負電極部に電位差が生じる。ここで、正電極部とは、正電極箔のうち肌に当たって正電極として作用する部分をいい、同様に、負電極部とは、負電極箔のうち肌に当たって負電極として作用する部分をいう。また、導電部とは、例えば導電シートのように正電極部と負電極部を電気的に接続する部分をいう。
【００５７】
正電極部と負電極部の電位差によって、皮膚の真皮層に微弱電流７が流れる。この電流は微弱であるため、皮膚の表面の角質層を損傷せずに、真皮層以下の細胞組織に流れ、細胞組織のイオン配列を整え、皮膚に対しては美容効果を有し、ツボに流れれば人体の生体活動を活性化し、病気の治癒や予防に効果を有する。また、メイクの汚れや古い角質はプラスイオンの性質があるといわれている。上記のように、正電極部に移動した電子に、プラスイオンの性質を有するメイクの汚れ等が引き寄せられ、普段の肌ケアでは取り除けない毛穴の奥の汚れを、取り除くことが可能となる。
【００５８】
また、例えば四十肩などは筋肉を覆う筋膜の劣化により発生する。一般に、筋肉は筋膜に覆われ，この筋膜の劣化やひずみが筋肉痛や神経痛を起こすと言われている。筋膜は筋肉を包む膜であり、細かいところでは筋繊維を、大きなところでは体全体を包む膜である。この筋膜の劣化やひずみによって引き起こされる筋肉痛や神経痛に対して微弱電流が有効である。
【００５９】
また、トリガーポイントとは、筋膜の短縮に伴う筋膜の機能障害を誘発するポイントで、それ自体が痛みを誘発し他の部位の痛みの原因にもなる。トリガーポイントは機械的に連結する部位への過負荷により生みだされることもあるといわれている。さらに、トリガーポイントは、一度委縮や癒着を起こしてしまうとコリや痛みを招き、その解消に時間を要する。トリガーポイントの発生部位はそれぞれ繊維方向の違う筋膜の重なる点であることが多く、それらの点は東洋の経穴やツボとも類似しており、筋膜に関係するトリガーポイントに刺激を与えてほぐすことで治療をすることができる。
【００６０】
さらに近年、筋膜の委縮・癒着を正常な状態に戻す筋膜リリースが注目を浴びている。筋膜リリースは、筋膜のスムーズな交差運動、毛細血管の血流の促進、筋肉の柔軟性向上、関節の可動域の拡大、また知覚神経の向上に効果があると言われている。
【００６１】
微弱電流シート１から流れる微弱電流７が、皮膚下にある筋膜やトリガーポイントに刺激を与えることで，トリガーポイントの痛み軽減、委縮・癒着の解消や、筋膜リリースの効果を期待することができる。
【００６２】
ところで、電極箔の縁では、角等の鋭角的な部分から電流８が放出される。また、電極箔の縁であって導電部の縁と接触する部分では、短絡的に肌６を介して電子の流れ９が流れる。この部分に汗が付着すると短絡しやすい。このような電流は皮膚の表層の角質層にしか届かず、通常は問題にならないが、電流の損失になるとともに、長時間使用した際に皮膚が赤くなることがある。また、電極板の角が皮膚を押し付けるため、押し付け箇所の電気抵抗が少なくなり、他より過度に電流が流れやすくなる。このため、電極板の周囲の皮膚が赤くなることを増進することになる。そこで、このような電流損失を防止するように、図３、４のような変形例が考えられる。
【００６３】
図３は、図１の微弱電流シート１の変形例を示している。なお、以下の図面において、図１と同一の部分には図１と同じ符号を付し、重複する説明を省略することがある。
【００６４】
図３において、微弱電流シート１ａは、導電シート（不図示）上に、正電極箔３と負電極箔４を設けている。この微弱電流シート１ａでは、正電極箔３と負電極箔４が、導電シートの周縁の内側の所定位置まで延在している。すなわち、図３に示すように、正電極箔３と負電極箔４は、導電シートの周縁から距離ｄ１のところまでしか延在していない。これに対して、絶縁材５ａは、導電シートの周縁（正電極箔３と負電極箔４の外側の所定位置でもよい）から内方に、正電極箔３と負電極箔４の外周部の縁から距離ｄ２の内側の所定位置まで延在している。換言すると、絶縁材５ａは正電極箔３と負電極箔４の中心部分を除いて導電シートの全体を覆い、正電極箔３と負電極箔４の外周部の縁の内側の距離ｄ２の位置まで絶縁材５ａが延在している。これにより、正電極箔３と負電極箔４は周縁部を除いて露出し、絶縁材５ａによって互いに絶縁されている。正電極箔３と負電極箔４の露出した部分がそれぞれ正電極部と負電極部になる。
【００６５】
図４は、微弱電流シート１ａの断面を示している。この変形例では図４に示すように、正電極箔３と負電極箔４の外周部の縁は、導電シート２の縁から距離ｄ１の位置にある。正電極箔３と負電極箔４は導電シート２の縁から距離ｄ１の位置まで延在している。これに対して、絶縁材５ａの外周部１０は、導電シート２の縁から内方に延在し、正電極箔３と負電極箔４の外周部の縁の内側の距離ｄ２の位置まで、正電極箔３と負電極箔４の一部を覆うように重なって延在している。また、正電極箔３と負電極箔４の対向する縁も、絶縁材５ａによって覆われるように絶縁材５ａの一部と重なっている。
【００６６】
縁からの距離ｄ１は、例えば、０．５ｍｍ〜１０ｍｍ、好ましくは１ｍｍ〜５ｍｍである。また、重なり部分の距離ｄ２は、例えば、０．５ｍｍ〜６ｍｍ、好ましくは１ｍｍ〜３ｍｍである。
【００６７】
この構造により、電極箔の角からの電流８は、絶縁材５ａの外周部１０によって遮断され、肌６に流れることがない。また、導電部と電極部の周縁部でも、導電部から正電極部への電流（電子の流れ９）が、絶縁材５ａの外周部１０によって遮断され、これによって、肌６に流れる本来の微弱電流７が増大されるとともに、長時間使用しても肌が赤くなることがない。
【００６８】
図５は、本発明の他の実施形態の微弱電流シートを示している。図５（ａ）は、本実施形態の微弱電流シート１ｂを分解して示した説明図である。図５（ｂ）は図５（ａ）の矢印Ａ−Ａ方向に見た微弱電流シート１ｂの断面図である。
【００６９】
微弱電流シート１ｂは、矩形の導電シート２ｂの上に細長形状の正電極箔３ｂと負電極箔４ｂを設けている。正電極箔３と負電極箔４は、正と負の電極がそれぞれ少なくとも１個あり、それらが互いに離間して正負交互に、かつ、互いにほぼ平行に配置されている。図５（ａ）の例では、正電極箔３ｂが１個、負電極箔４ｂが２個あり、正電極箔３ｂを中心に配置し、その両側に負電極箔４ｂを配置している。なお、このように配置することにより、正電極箔３ｂ（正電極部）から両側の負電極箔４ｂ（負電極部）に微弱電流が流れるようになる。
【００７０】
正電極箔３ｂと負電極箔４ｂは、導電シート２ｂの周縁の内側の所定位置まで延在している。図５（ａ）の例では、正電極箔３ｂと負電極箔４ｂは、導電シート２ｂの周縁の内側の距離ｄ１と距離ｄ１’の位置まで延在している。距離ｄ１は電極箔の長辺と微弱電流シート１ｂの縁の間の距離、距離ｄ１’は電極箔の短辺と微弱電流シート１ｂの縁の間の距離である。距離ｄ１と距離ｄ１’は互いに等しくても良い。電極箔の縁を導電シート２ｂより内側に配置するのは、電極箔の周縁部において導電シート２ｂから直接短絡的な電流が流れるのを防止するためである。
【００７１】
長手方向の縁からの距離ｄ１は、例えば、０．５ｍｍ〜１５ｍｍ、好ましくは１ｍｍ〜８ｍｍである。また、重なり部分の距離ｄ２は、例えば、０．５ｍｍ〜８ｍｍ、好ましくは１ｍｍ〜５ｍｍである。
【００７２】
短手方向の縁からの距離ｄ１’は、例えば、０．５ｍｍ〜１０ｍｍ、好ましくは１ｍｍ〜５ｍｍである。また、重なり部分の距離ｄ２’は、例えば、０．５ｍｍ〜６ｍｍ、好ましくは１ｍｍ〜３ｍｍである。
【００７３】
微弱電流シート１ｂと正電極箔３ｂと負電極箔４ｂの上に絶縁材５ｂが配置される。絶縁材５ｂは正電極箔３ｂと負電極箔４ｂを除いて導電シート２ｂの全面を覆っている。さらに、絶縁材５ｂは、正電極箔３ｂと負電極箔４ｂの外側の所定位置（導電シート２ｂの周縁を含む）から各電極箔の内側の所定位置まで延在している。すなわち、絶縁材５ｂは、正電極箔３ｂと負電極箔４ｂの周縁から内側に距離ｄ２と距離ｄ２’の位置まで延在している。距離ｄ２は電極箔の長辺部分と絶縁材５ｂの重なりの距離、距離ｄ２’は電極箔の短辺部分と絶縁材５ｂの重なりの距離である。距離ｄ２と距離ｄ２’は互いに等しくても良い。このように電極箔の縁と絶縁材５ｂが一部重なるようにするのは、導電シート２ｂから正電極箔３ｂと負電極箔４ｂに直接短絡的な電流が流れるのを防止するためである。
【００７４】
図５（ｂ）は、図５（ａ）の矢印Ａ−Ａ方向に見た微弱電流シート１ｂの断面図であるが、正電極箔３ｂと負電極箔４ｂの長辺部分が絶縁材５ｂによって覆われ、導電シート２ｂから短絡的に電流が流れないことが分かる。
【００７５】
図６は、図５（ａ）の矢印Ｂ−Ｂ方向に見た微弱電流シート１ｂの断面図であるが、正電極箔３ｂと負電極箔４ｂの短辺部分が絶縁材５ｂによって覆われ、導電シート２ｂから短絡的に電流が流れないことが分かる。
【００７６】
微弱電流シート１ｂによれば、正電極箔３ｂと負電極箔４ｂが互いに離間し、絶縁材５ｂによって絶縁されている。正電極部と負電極部が人間の肌に接すると、電位差によって負電極部からイオンが電離し、電子が導電部を通って正電極部に集中する。これによって正電極部と負電極部の間に電位差が生じ、人間の肌に微弱電流が流れる。微弱電流シート１ｂの場合、正電極箔３ｂの両側に負電極箔４ｂが配置されているので、微弱電流は中心の正電極部から両側の負電極部に流れる。電極部の縁の部分や導電部の縁の部分が絶縁材５ｂによって絶縁されているため、短絡的な損失電流がなく、微弱電流が効果的に流れる。
【００７７】
図７は、微弱電流シート１ｂの変形例を示している。
【００７８】
図７による微弱電流シート１ｃは、導電シート２ｃの底面が絶縁シート１１によって覆われている。絶縁シート１１は好ましくは導電シート２ｃの周縁部から外側に延在し、絶縁材５ｃと接続している。すなわち、絶縁材５ｃは導電シート２ｃの周縁部を、側面を含めて完全に絶縁し、正電極箔３ｃの周縁部も絶縁している。
【００７９】
導電シート２ｃの底面が絶縁シート１１によって絶縁されていることにより、微弱電流シート１ｃを使用している時に、導電シート２ｃの底面から外部に流出する電流がなくなる。これにより、生体との間で形成される電池回路の微弱電流を効果的に使用することができる。
【００８０】
図８は、本発明の他の実施形態による微弱電流シートを分解して示している。
【００８１】
本実施形態の微弱電流シート１ｄは、絶縁シート１１ｄを有し、絶縁シート１１ｄ上に導電体１２を有している。導電体１２は好ましくは細長形状を有し、その両端部が絶縁シート１１ｄの縁に達しない程度に延在している。
【００８２】
導電体１２上には、電位差を有する異なる金属からなり、導電体１２に電気接続し、離間して配置された正電極箔３ｄと負電極箔４ｄが配置されている。正電極箔３と負電極箔４は好ましくはそれらの端部が絶縁シート１１ｄの縁に達しない程度に延在している。
【００８３】
正電極箔３ｄと負電極箔４ｄの上には、絶縁材５ｄが配置されている。絶縁材５ｄは、少なくとも正電極箔３ｄと負電極箔４ｄの間の導電体１２を覆うように配置されている。好ましくは、絶縁材５ｄは、正電極箔３ｄと負電極箔４ｄの対向する縁部の各電極箔の内側の所定位置まで延在している。さらに好ましくは、絶縁材５ｄは正電極箔３ｄと負電極箔４ｄを除く絶縁シート１１ｄの全面を覆うようになっている。好適には、絶縁材５ｄは正電極箔３ｄと負電極箔４ｄの周縁部と一部重なり、正電極箔３ｄと負電極箔４ｄの周縁部から各電極箔の内側の所定位置まで延在している。
【００８４】
図９は図８の矢印Ｃ−Ｃ方向に見た断面図である。
【００８５】
図９から明らかなように、絶縁シート１１ｄが正電極箔３ｄの端部より長く延伸し、絶縁材５ｄと接続している。絶縁材５ｄは、正電極箔３ｄの端部をその側面を含めて覆い、正電極箔３ｄの周縁部から正電極箔３ｄの内側の所定位置まで延伸している。
【００８６】
なお、正電極箔３ｄと負電極箔４ｄは、極性ごとに少なくとも１個の電極箔を有し、全体として少なくとも２個の電極箔が正負交互に配置されている。
【００８７】
図１０は、保湿剤を有する本発明の他の実施形態による微弱電流シートを示している。
【００８８】
微弱電流シート１ｅは、図３に示した構造の微弱電流シート１ａを有している。すなわち、導電シート２上に正電極箔３と負電極箔４が設けられ、その上に絶縁材５ａが設けられている。絶縁材５ａは正電極箔３と負電極箔４の周縁部から各電極箔の内側の所定位置まで延在している。正電極箔３と負電極箔４の周縁部を除く部分は露出している。正電極箔３と負電極箔４の上には保湿剤１３が配置されている。正電極箔３上の保湿剤１３と負電極箔４上の保湿剤１３は互いに分離している。これにより、保湿剤１３を介して電極部間の電流の流れを防止している。
【００８９】
本来使用時に電極シート状に保湿剤を貼り付ける必要があったが、前もって電極シートに保湿剤１３を張り付けて保持することができる。このため、使用時に剥離紙を剥がすだけですぐに使用ができる。
【００９０】
保湿剤１３は、例えば、保湿性を有するゲルや、不織布などに水分や、グリセリン、尿素、ヒアルロン酸、コラーゲンなどを含有させたもので、例えば０．５ｍｍから６ｍｍの厚さ、好ましくは１ｍｍから４ｍｍの厚さとしたものである。
【００９１】
図１１は、微弱電流シート１ｅを使用した時の電流の流れを示している。
【００９２】
保湿剤１３は、導電性を有し、肌６に密着することができる。ここで電極部は、保湿剤１３を介して、肌に当たり正極または負極として作用する。このため、微弱電流シート１ｅを肌６に貼着すると、保湿剤１３が肌６に密着し、正電極箔３（正電極部）と負電極箔４（負電極部）の電位差により、負電極部からイオンが保湿剤１３に溶け出す。負電極部の電子は導電シート２（導電部）を通って正電極部に流れ、正電極部が負電極部に対して電位差を有するようになる。保湿剤１３は導電性を有しているため、正電極部上の保湿剤１３は、負電極部上の保湿剤１３に対して電位差を有し、細胞組織内のプラスイオンを吸引することによって肌６内に微弱電流７が流れる。正電極部の保湿剤１３と負電極部の保湿剤１３が分離していることにより、図１１に示すような電流７’が流れず、微弱電流７が肌６の内部を流れる。微弱電流７により肌６の細胞組織のイオン配列が整えられ、皮膚の美容効果、あるいは、病気の治癒や予防効果を奏することができる。
【００９３】
図１２は、微弱電流シート１ｅの変形例を示している。
【００９４】
図１２の微弱電流シート１ｆは、微弱電流シート１ｅの保湿剤１３上に着脱可能な剥離紙１４を有している。また、微弱電流シート１ｅの導電シート２の底面に押え板１５を有している。押え板１５は導電シート２に接着しておくのがよい。
【００９５】
保湿剤１３は、水分を有し、粘着性を有しているため、剥離紙１４を貼着しておくことで、使用前において保管や取扱いが容易になる。
【００９６】
押え板１５は、例えばスポンジのように、ある程度の厚みを有し、弾力性を有しているものがよい。押え板１５を有していることにより、たとえば粘着テープやサポーターによって微弱電流シート１ｆを皮膚に貼着したときに、押え板１５の厚みと弾力性により、微弱電流シート１ｆを皮膚に密着させておくことができる。
【００９７】
図１３は、本発明の他の実施形態による微弱電流シートを分解して示している。
【００９８】
本実施形態の微弱電流シート１ｇは、図３に示した構造の電極シート１ａを有している。すなわち、導電シート２ｇ上に正電極箔３と負電極箔４が設けられ、その上に絶縁材５ｇが設けられている。絶縁材５ｇは正電極箔３と負電極箔４の周縁部から各電極箔の内側の所定位置まで延在し、正電極箔３と負電極箔４を、周縁部を除いて露出させている。正電極箔３と負電極箔４の上には保湿剤１３が分離して配置されている。
【００９９】
本実施形態では、微弱電流シート１ｇの正電極箔３と負電極箔４の間の部分が、稜状に折られて分離板１ｇ’を形成している。分離板１ｇ’は、表面が絶縁材５ｇになっているため、絶縁性を有し、正電極箔３の保湿剤１３と負電極箔４の保湿剤１３の間で立ち上がって、正電極箔３（正電極部）の保湿剤１３と負電極箔４（負電極部）の保湿剤を絶縁することができる。
【０１００】
保湿剤１３は、ある程度の流動性を有しているため、長時間使用すると正電極部の保湿剤１３と負電極部の保湿剤１３が流動して互いに接触し、微弱電流が短絡することが考えられる。しかし、分離板１ｇ’を有することにより、保湿剤１３の流動による接触を防止し、長時間微弱電流を人体の細胞組織に流すことができる。
【０１０１】
図１４は、本発明のさらに他の実施形態による微弱電流シートを分解して示している。
【０１０２】
本実施形態の微弱電流シート１ｈは、導電シート２の上に正電極箔３と負電極箔４を設け、正電極箔３と負電極箔４の上に絶縁材５を設けている。絶縁材５は正電極箔３と負電極箔４の周縁部の内側の所定位置まで延在し、正電極箔３と負電極箔４は周縁部を除いて露出している。
【０１０３】
正電極箔３と負電極箔４の上には保湿剤１３が分離して設けられている。正電極箔３の保湿剤１３と負電極箔４の保湿剤１３の間には、絶縁性を有し、好ましくは撥水性を有する分離体１６が設けられている。例えば発泡スチロールで分離体１６を形成することができる。
【０１０４】
分離体１６を正電極箔３の保湿剤１３と負電極箔４の保湿剤１３の間に設けることにより、保湿剤１３の流動による接触を防止し、長時間微弱電流を人体の細胞組織に流すことができる。
【０１０５】
図１５は、本発明のさらに他の実施形態による微弱電流シートを分解して示している。
【０１０６】
本実施形態の微弱電流シート１ｉは、導電シート２の上に正電極箔３と負電極箔４を設け、正電極箔３と負電極箔４の上に絶縁材５を設けている。絶縁材５は正電極箔３と負電極箔４の周縁部の内側の所定位置まで延在し、正電極箔３と負電極箔４は周縁部を除いて露出している。正電極箔３と負電極箔４の上には保湿剤１３が分離して設けられている。
【０１０７】
正電極箔３の保湿剤１３と負電極箔４の保湿剤１３の間には、分離紙１７が設けられている。分離紙１７は、絶縁性を有する紙からなり、好ましくは図１５に示すように、クランク状に折り曲げられている。絶縁性を有する紙とは、ビニール等の樹脂でコーティングされた紙や、樹脂製の紙を含む。分離紙１７がクランク状に折られ、保湿剤１３を分離するように挿入されていることにより、保湿剤１３が流動しても、互いに接触することがなく、長時間微弱電流を人体の細胞組織に流すことができる。
【０１０８】
図１６は、本発明のさらに他の実施形態による微弱電流シートを分解して示している。
【０１０９】
本実施形態の微弱電流シート１ｊは、導電シート２を有し、導電シート２の上に長孔１８’を有する絶縁シート１８を設けている。絶縁シート１８の上に、長孔１８’の長手方向と直交する方向に、細長状の正電極箔３ｊと負電極箔４ｊが設けられている。長孔１８’の部分で、正電極箔３ｊと負電極箔４ｊの一部が導電シート２と電気的に接続されている。正電極箔３ｊと負電極箔４ｊの間の導電シート２の部分は、長孔１８’を通して露出している。
【０１１０】
正電極箔３ｊと負電極箔４ｊの上に絶縁材５ｊが設けられている。絶縁材５ｊは、少なくとも長孔１８’から露出している正電極箔３と負電極箔４の間の導電シート２を覆うようにする。これによって正電極箔３ｊと負電極箔４ｊが互いに絶縁される。図１６の例では、絶縁材５ｊは、長孔１８’の全体を覆っている。これによって、正電極箔３ｊと負電極箔４ｊはそれぞれ、図１６において左右に対称の一対の電極部になっている。
【０１１１】
さらに正電極箔３ｊと負電極箔４ｊの端部からの短絡的な電流損失を防止するため、正電極箔３ｊと負電極箔４ｊは、絶縁シート１８の周縁部から所定距離内側の位置までしか延在していない。絶縁材５ｊは、絶縁シート１８の周縁部から内側に延び、正電極箔３ｊと負電極箔４ｊの端部から所定距離内側まで延在している。
【０１１２】
微弱電流シート１ｊによれば、微弱電流シート１ｊを皮膚などに貼着すると、正電極部（正電極箔３ｊが分割されて形成された正電極部）と負電極部（負電極箔４ｊが分割されて形成された負電極部）に電位差を生じ、中心部分の正電極部から両側の負電極部に微弱電流が流れる。正電極部と負電極部は、導電部と絶縁されているため、短絡的な電流が流れることがない。また、正電極箔３ｊと負電極箔４ｊの両端部では、正電極箔３ｊと負電極箔４ｊの端部が導電シート２の周縁部から所定距離内側に位置し、絶縁材５ｊによって絶縁されているため、導電シート２の周縁部からの電流の流出を防止することができる。このため、電位差電極と生体との間で形成される電池の微弱電流が無駄なく使用され、効果的に美容効果や病気の治癒や予防効果を発揮することができる。
【０１１３】
図１７は微弱電流シート１ｊの変形例を示している。
【０１１４】
図１７の微弱電流シート１ｊは、弾性体材料によって導電シート２ｊを形成している。弾性体材料としては、導電性を有するスポンジなどを使用することができる。正電極箔３ｊと負電極箔４ｊの端部は導電シート２の周縁部から内側に距離ｄ１の位置まで延在している。絶縁材５ｊは、導電シート２周縁部から正電極箔３ｊと負電極箔４ｊと絶縁シート１８ｊの端部側面を覆い、正電極箔３ｊと負電極箔４ｊの端部の内側の距離ｄ２の位置まで延在している。
【０１１５】
弾性体材料からなる導電シート２ｊを使用することにより、凹凸面でも電極箔が皮膚に密着しやすくなる効果を有する。この場合、別個の押え板を導電シート２ｊに貼着することなく、構造を簡単化することができ、材料費を抑えることができる。微弱電流シート１ｊをテープやサポーターで皮膚に固定する場合に、凹凸面に密着し、安定的で効果的な微弱電流を得ることができる。
【０１１６】
図１８は、図１７の変形例を示している。
【０１１７】
この実施形態の微弱電流シート１ｋも、弾性体材料によって導電シート２ｋを形成している。正電極箔３ｋと負電極箔４ｋの端部と、導電シート２ｋの周縁と、絶縁材５ｊの周縁と、絶縁シート１８ｋの周縁が一致している点で図１７の微弱電流シート１ｊと異なる。
【０１１８】
電極箔の端部と導電シートの周縁が一致していることにより、電極箔の端部から短絡電流が流れるが、電極箔の端部が短いため影響が小さく、かつ、電極箔の端部を除く周縁部が導電シート２ｋから絶縁されているため、微弱電流が効果的に流れる。
【０１１９】
以下に、本発明による微弱電流シートの電極構造について説明する。
【０１２０】
図１９（ａ）は、基本的な微弱電流シート１ｍを示している。微弱電流シート１ｍでは、導電シート２ｍ上に正電極箔３ｍと負電極箔４ｍが正負交互に配置され、正電極箔３ｍと負電極箔４ｍは導電シート２ｍと電気接続されている。導電シート２ｍは、導電性を有するシート状のものであり、板状に限られず、網状や格子状でもよい。導電シート２ｍは、金属シート、金属膜や金属シートを含む樹脂シート、導電体や導電性繊維を混入させた樹脂シート等を用いることができる。導電シート２ｍは硬さのある板状のものであっても良い。
【０１２１】
正電極箔３ｍと負電極箔４ｍは、電位差を有する異なる金属からなり、薄膜でも薄い金属片でもよい。絶縁材５ｍは、絶縁体からなり、シート状のもの、あるいは、導電シート２ｍ上に形成された膜や層のようなものである。
【０１２２】
絶縁材５ｍは、正電極箔３ｍと負電極箔４ｍを絶縁するため、正電極箔３ｍと負電極箔４ｍの間の導電シート２ｍを覆う必要がある。好ましくは、絶縁材５ｍは、正電極箔３ｍと負電極箔４ｍの縁から所定距離内側の位置まで延在している。これは正電極箔３ｍと負電極箔４ｍと導電シート２ｍの短絡を防止するためである。
【０１２３】
また、図１９（ｂ）は、先に記述したように、導電シート２ｍを、直接、負電極箔４ｍとした場合を示す。導電シート２ｍは、正電極箔３ｍより低い電位を有している。絶縁材５ｍによって分離された導電シート２ｍと正電極箔３ｍは、肌等に触れると、負電極部と正電極部となって肌との間に電池回路を形成し、微弱電流を流すことができる。この導電シート２ｍによれば、負電極箔を別個に設ける必要がなく、構造が簡単な微弱電流シートを得ることができる。
【０１２４】
図２０は、他の微弱電流シート１ｎの電極構造を示している。微弱電流シート１ｎは導電シート２ｎの上に負電極箔４ｎを設けている。負電極箔４ｎの上にさらに正電極箔３ｎを設けている。負電極箔４ｎは好ましくは細長形状を有し、正電極箔３ｎは負電極箔４ｎと交差して配置されている。負電極箔４ｎの縁部と導電シート２ｎの接続する部分、および、正電極箔３ｎの縁部と負電極箔４ｎの接続する部分は絶縁材５ｎによって覆われている。
【０１２５】
上記電極箔の極性は反対でもよい。すなわち、導電シート２ｎの上に正電極箔３ｎを配置し、その上に負電極箔４ｎを配置してもよい。
【０１２６】
正電極箔３ｎと負電極箔４ｎの縁部の接続する部分が絶縁されているため、正電極箔３ｎの正電極部と負電極箔４ｎの負電極部は、肌に接触すると電極として電位差を生じ、電池回路を形成することができる。
【０１２７】
図２１は図２０の変形例の平面図と断面図を示している。図２１の微弱電流シート１ｐは、構造的には図２０の微弱電流シート１ｎと同様である。すなわち、導電シート２ｐの上に負電極箔４ｐを配置し、負電極箔４ｐの上に正電極箔３ｐを配置している。ただし、図２１の例では、正電極箔３ｐと負電極箔４ｐは円形の形状を有し、絶縁材５ｐは円環状の形状を有している。負電極箔４ｐの縁部と導電シート２ｐの接続する部分、および、正電極箔３ｐの縁部と負電極箔４ｐの接続する部分は絶縁材５ｐによってシールされている。電極箔の極性が反対でもよい点も、微弱電流シート１ｎの場合と同様である。
【０１２８】
微弱電流シート１ｐは、正電極箔の表面積が大きいため、正電極部からの電流が大きくなる。図２１のように、正電極部の周囲を負電極部が取り囲むため、微弱電流が中心から円周部に流れる。この微弱電流シート１ｐは、トリガーポイントや経絡、ツボなどに適している。
【０１２９】
図２２は、粘着剤と床板材を設けた微弱電流シートの横断面を示している。
【０１３０】
微弱電流シート１の上面には粘着剤１９が設けられている。粘着剤１９は導電性を有し、好ましくは保湿材を含有している。粘着剤１９は微弱電流シート１上に塗布するようにしてよい。粘着剤１９の上面には、使用に際して剥離させる剥離紙２０が設けられている。
【０１３１】
微弱電流シート１の下面には弾力性を有する床板材２１が設けられている。床板材２１はゴム、ウレタン材、軟質樹脂、スポンジなどを用いて形成することができる。床板材２１は微弱電流シート１を皮膚になじむように押し付けるのに好適である。
【０１３２】
以下に種々な平面的形状の電極とシート形状を有する微弱電流シートについて説明する。
【０１３３】
図２３の微弱電流シート１ｑは、導電シート２ｑの上に細長形状の正電極箔３ｑと負電極箔４ｑを有している。正電極箔３ｑと負電極箔４ｑは極性ごとに少なくとも１個を有し、全体として少なくとも２個の正電極箔３ｑと負電極箔４ｑが正負交互に互いに平行に配置されている。
【０１３４】
正電極箔３ｑと負電極箔４ｑの間には、絶縁材５ｑが設けられ、正電極箔３ｑと負電極箔４ｑの間の導電シート２ｑを完全に覆っている。正電極箔３ｑと負電極箔４ｑの対向する縁部は好ましくは絶縁材５ｑと一部重なるようにし、導電シート２ｑからの短絡電流が電極箔に流れないようにする。
【０１３５】
図２３（ａ）は、横長シートの長手方向に対して直交する様に各電極の方向を設けたものを示し、図２３（ｂ）は、横長シートの長手方向と平行に各電極の方向を設けたものである。
【０１３６】
図２３（ａ）は太い筋肉、例えば、股の筋肉などに用いるときに、シートの長手方向で筋肉を巻くように貼る事で、筋肉の流れの方向に対し直交して電流を流し、筋肉全体を分割する様に電流を流し刺激を与え単一な筋肉に対した対処することが出来る。
【０１３７】
一方、図２３（ｂ）は、例えば、足の甲の様に指に沿って各筋肉の方向が向いている場所に、長手方向を甲の両側方向に向けて貼る事で、指の筋肉の流れ方向に同一方向に各指に電流を発生させる事により、各指にまとめて刺激を与えることが出来る。
【０１３８】
図２４の微弱電流シート１ｒは、図示しない導電シート上に円環形状の正電極箔３ｒと負電極箔４ｒを有している。正電極箔３ｒと負電極箔４ｒは極性ごとに少なくとも１個を有し、全体として少なくとも２個の正電極箔３ｒと負電極箔４ｒが正負交互にほぼ等間隔に配置されている。正電極箔３ｒと負電極箔４ｒの間には、絶縁材５ｒが設けられており、正電極箔３ｒと負電極箔４ｒの間の導電シートを完全に覆っている。絶縁材５ｒは、正電極箔３ｒと負電極箔４ｒの縁部と一部重なり、導電シートからの短絡電流が電極箔に流れないようにするのが好ましい。
【０１３９】
微弱電流シート１ｒの形状は、皮膚下の筋肉などにポイント的に刺激する場合、例えば、トリガーポイントや経絡、ツボなどに適している。
【０１４０】
図２５の微弱電流シート１ｓは、図示しない導電シート上に楕円のリング形状の正電極箔３ｓと負電極箔４ｓを有している。正電極箔３ｓと負電極箔４ｓは極性ごとに少なくとも１個を有し、全体として少なくとも２個の正電極箔３ｓと負電極箔４ｓが正負交互にほぼ等間隔に配置されている。正電極箔３ｓと負電極箔４ｓの間には、絶縁材５ｓが設けられており、正電極箔３ｓと負電極箔４ｓの間の導電シートを完全に覆っている。絶縁材５ｓは、正電極箔３ｓと負電極箔４ｓの縁部と一部重なり、導電シートからの短絡電流が電極箔に流れないようにするのが好ましい。
【０１４１】
図２６の微弱電流シート１ｔは、図示しない導電シート上に楕円の一部が内側に凹んだリング形状の正電極箔３ｔと負電極箔４ｔを有している。正電極箔３ｔと負電極箔４ｔは極性ごとに少なくとも１個を有し、全体として少なくとも２個の正電極箔３ｔと負電極箔４ｔが正負交互にほぼ等間隔に配置されている。正電極箔３ｔと負電極箔４ｔの間には、絶縁材５ｔが設けられており、正電極箔３ｔと負電極箔４ｔの間の導電シートを完全に覆っている。絶縁材５ｔは、正電極箔３ｔと負電極箔４ｔの縁部と一部重なり、導電シートからの短絡電流が電極箔に流れないようにするのが好ましい。また、この微弱電流シート１ｔの形状は、皮膚下の筋肉が放射状や扇状に広がる箇所、例えば、肩やお尻、目の下や頬に貼るのに適している。
【０１４２】
図２７の微弱電流シート１ｕは、図示しない導電シート上に楕円の一部の曲線形状の正電極箔３ｕと負電極箔４ｕを有している。正電極箔３ｕと負電極箔４ｕは極性ごとに少なくとも１個を有し、全体として少なくとも２個の正電極箔３ｕと負電極箔４ｕが正負交互にほぼ等間隔に配置されている。正電極箔３ｕと負電極箔４ｕの間には、絶縁材５ｕが設けられており、正電極箔３ｕと負電極箔４ｕの間の導電シートを完全に覆っている。絶縁材５ｕは、正電極箔３ｕと負電極箔４ｕの縁部と一部重なり、導電シートからの短絡電流が電極箔に流れないようにするのが好ましい。また、この微弱電流シート１ｕの形状は、皮膚下の筋肉が扇状に広がる部分、例えば、目の下や頬に貼るのに適している。また、膝下や、足の内果及び外果周辺、肩に貼るのに適している。
【０１４３】
図２８の微弱電流シート１ｖは、図示しない導電シート上に、曲線のリング形状であってほぼ中心部分で対称に分割された形状の正電極箔３ｖと負電極箔４ｖを有している。正電極箔３ｖと負電極箔４ｖは極性ごとに少なくとも１個を有し、全体として少なくとも２個の正電極箔３ｖと負電極箔４ｖが正負交互にほぼ等間隔に配置されている。正電極箔３ｖと負電極箔４ｖの間、および、電極箔を対称に分割する部分には、分割絶縁ライン２２が設けられており、導電シートを完全に覆っている。絶縁材５ｖは、正電極箔３ｖと負電極箔４ｖの縁部と一部重なり、導電シートからの短絡電流が電極箔に流れないようにするのが好ましい。この微弱電流シート１ｖの形状は、目の下や頬に貼るのに適している。
【０１４４】
図２９の微弱電流シート１ｗは、図示しない導電シート上に正電極箔３ｗと負電極箔４ｗを有している。正電極箔３ｗと負電極箔４ｗは細長形状を有し、極性ごとに少なくとも１個を有し、全体として少なくとも２個の正電極箔３ｗと負電極箔４ｗが正負交互にほぼ平行に配置されている。
【０１４５】
絶縁材５ｗは開口部２３を有している。開口部２３は、正電極箔３ｗおよび負電極箔４ｗと直交する方向に列状に配列され、正電極箔３ｗおよび負電極箔４ｗと直交する方向に見た場合に、開口部２３を介して正電極露出部２４と負電極露出部２５が交互に露出するようになっている。
【０１４６】
なお、正電極箔３ｗと負電極箔４ｗの間の部分を絶縁材でシールし、さらに、正電極箔３ｗと負電極箔４ｗと直交するように、細長形状の絶縁材を設けることにより、格子状に正電極露出部２４と負電極露出部２５を形成してもよい。また、ここでは、正電極露出部２４と負電極露出部２５の形状は四角形を示しているが、円形などの他の形状でも良い。
【０１４７】
図３０の微弱電流シート１ｗは、図２９と同様の構造のものであるが、外形が三日月形の形状を有している。このような形状の微弱電流シート１ｗは目の下や頬に貼るのに適している。絶縁材５ｗの開口部２３は、微弱電流シート１ｗの外形に合わせて適宜配列することができる。
【０１４８】
１ｗの形状は、大きな筋肉の周辺に、平均的にむらなく刺激を与えたいときに適している。
【０１４９】
図３１は、貼り付けシートを設けた微弱電流シートを示している。微弱電流シート１ｘは外形が三日月形の形状を有している。貼り付けシート２６は微弱電流シート１ｘより大きく、同様の三日月形の形状を有し、全面に粘着剤を有している。微弱電流シート１ｘは貼り付けシート２６の上に貼着されると、図３１に示すように、貼り付けシート２６の周縁部が微弱電流シート１ｘの周縁から延出している。貼り付けシート２６の周縁部が肌等に粘着することにより、貼り付けシート２６によって微弱電流シート１ｘを肌等に固定することができる。微弱電流シート１ｘの電極の構造は任意のものにすることができる。微弱電流シート１ｘはその形状により、目の下や頬に貼るのに適している。貼り付けシート２６により、微弱電流シート１ｘを肌に固定することができ、仕事や家事をしながら使用することができる。なお、微弱電流シート１ｘに替えて、貼り付けシート２６は他の如何なる機能性シートに使用することもできる。ここで、機能性シートとは、人体に治療や美容の機能を及ぼすシートをいい、微弱電流シートを含み、例えば磁気シート、湿布、膏薬、美顔マスクなどをいう。貼り付けシート２６によれば、これら機能性シートを人体に簡便にしっかり固定することができる。
【０１５０】
図３２は再使用するのに適した微弱電流シートを示している。微弱電流シート１ｘは図３１と同様のものであって、外形が三日月形の形状を有している。貼り付けシート２６ａは、外形が三日月形の形状を有しているが、内部に開口部２７を有している。開口部２７の周縁部は微弱電流シート１ｘの周縁部と重なる形状を有し、一部に微弱電流シート１ｘの周縁部と重ならない剥離部２７’を有している。剥離部２７’は微弱電流シート１ｘの周縁の外側に突出するような形状を有し、好ましくは微弱電流シート１ｘの外周の曲率の変化が大きいところ、例えば図３２に示すような微弱電流シート１ｘの両端部に設けられる。なお、剥離部２７’は、一つでも複数でもよい。
【０１５１】
貼り付けシート２６ａは、全面に粘着剤を有し、微弱電流シート１ｘと重ねると図３２に示すように、微弱電流シート１ｘの周縁部と一部重なり、微弱電流シート１ｘの周縁部の外側に延在する部分を有している。これにより、使用時には、貼り付けシート２６ａの周縁部が肌等に粘着し、微弱電流シート１ｘを肌等に固定することができる。微弱電流シート１ｘの電極の構造は任意のものにすることができる。微弱電流シート１ｘはその形状により、目の下や頬に貼るのに適している。
【０１５２】
保管時には、貼り付けシート２６ａに図示しない剥離紙やフイルムを貼着しておくようにする。本実施形態では、微弱電流シート１ｘの周縁部の一部が、貼り付けシート２６ａと重ならない剥離部２７’になっている。使用時には、この剥離部２７’によって貼り付けシート２６ａからフイルムを容易に剥がすことができる。使用後は、再び貼り付けシート２６ａに剥離紙やフイルムを貼着することにより、微弱電流シート１ｘを繰り返し使用することができる。
【０１５３】
ここでは示さないが、貼り付けシート２６ａに、開口部２７を設けず全面をシートとし、粘着剤を有し開口部２７に匹敵する部分を糊殺しシートを張り、同様の効果としてもよい。
【０１５４】
また、貼り付けシート２６ａに、開口部２７を設けず全面をシートとし、開口部２７の部分に匹敵する部分に糊を塗らないことで同様の効果としてもよい。
【０１５５】
なお、微弱電流シート１ｘに替えて、貼り付けシート２６ａは他の如何なる機能性シートに使用することもできることは図３１の貼り付けシート２６と同様である。
【０１５６】
図３３は、他の再使用に適した微弱電流シートを示している。微弱電流シート１ｘは図３１，３２と同様のものであって、外形が三日月形の形状を有している。貼り付けシート２６ｂは、外形が三日月形の形状を有しているが、内部に開口部２８を有している。開口部２８の周縁部は微弱電流シート１ｘの周縁部と重なる形状を有し、一部は微弱電流シート１ｘの外周とちょうど重なる（一致する）剥離部２８’になっている。剥離部２８’は、好ましくは微弱電流シート１ｘの外周の曲率の変化が大きいところ、例えば図３３に示すような微弱電流シート１ｘの一端部に設けられる。なお、剥離部２８’は、一つに限られず複数あってもよい。
【０１５７】
貼り付けシート２６ｂは、全面に粘着剤を有し、微弱電流シート１ｘと重ねると図３３に示すように、微弱電流シート１ｘの周縁部と一部重なり、一部は微弱電流シート１ｘの周縁部と重ならない剥離部２８’になっている。微弱電流シート１ｘの周縁部の外側には、接着剤を有する貼り付けシート２６ｂが延在している。
【０１５８】
使用時には、貼り付けシート２６ｂの周縁部が肌等に粘着し、微弱電流シート１ｘを肌等に固定することができる。微弱電流シート１ｘの電極の構造は任意のものにすることができる。微弱電流シート１ｘはその形状により、目の下や頬に貼るのに適している。
【０１５９】
保管時には、貼り付けシート２６ｂに図示しない剥離紙やフイルムを貼着しておくようにする。
【０１６０】
使用時には、貼り付けシート２６ｂから剥離紙やフイルムを剥がして使用するが、本実施形態では、微弱電流シート１ｘの周縁部の一部が、接着剤を有していない剥離部２８’になっているため、フイルムを容易に剥がすことができる。
【０１６１】
使用後は、再び貼り付けシート２６ｂに剥離紙やフイルムを貼着することにより、微弱電流シート１ｘを繰り返し使用することができる。
【０１６２】
なお、微弱電流シート１ｘに替えて、貼り付けシート２６ｂは他の如何なる機能性シートに使用することもできることは図３１の貼り付けシート２６と同様である。
【０１６３】
図３４は、さらに他の再使用に適した微弱電流シートを示している。微弱電流シート１ｘは図３１，３２，３３と同様のものであって、外形が三日月形の形状を有している。貼り付けシート２６ｃは、外形が三日月形の形状を有しており、開口部を有しておらず、周縁糊付け部２９と中央糊付け部２９’を有している。周縁糊付け部２９は内縁がちょうど微弱電流シート１ｘの外周と重なる（一致する）ようになっている。一方、中央糊付け部２９’の外周は、微弱電流シート１ｘの外周の内側に位置している。すなわち、貼り付けシート２６ｃは、微弱電流シート１ｘと重ねると、図３４に示すように、微弱電流シート１ｘの外側に周縁糊付け部２９を有し、微弱電流シート１ｘの周縁部は貼り付けシート２６ｃに粘着しないようになっている。
【０１６４】
使用時には、貼り付けシート２６ｃの周縁糊付け部２９が肌等に粘着し、微弱電流シート１ｘを肌等に固定することができる。微弱電流シート１ｘの電極の構造は任意のものにすることができる。微弱電流シート１ｘはその形状により、目の下や頬に貼るのに適している。
【０１６５】
保管時には、貼り付けシート２６ｃに図示しない剥離紙やフイルムを貼着しておくようにする。
【０１６６】
使用時には、貼り付けシート２６ｃから剥離紙やフイルムを剥がして使用するが、本実施形態では、微弱電流シート１ｘの周縁部が貼り付けシート２６ｃに粘着していないため、フイルムを容易に剥がすことができる。
【０１６７】
使用後は、再び貼り付けシート２６ｃにフイルムを貼着することにより、微弱電流シート１ｘを繰り返し使用することができる。
【０１６８】
また、中央糊付け部２９’は三日月型をしているが、形状は複数の丸形形状などの点々模様などでも良い。
【０１６９】
なお、微弱電流シート１ｘに替えて、貼り付けシート２６ｃは他の如何なる機能性シートに使用することもできることは図３１の貼り付けシート２６と同様である。
【０１７０】
図３５は、微弱電流シートの貼り付けテープを示している。微弱電流シート１ｘは必須ではないが押さえパッド３０を有している。貼り付けテープ３１は、弾性部３２と粘着部３３を有している。弾性部３２は微弱電流シート１ｘの形状に応じて任意の形状にすることができる。図３５の例では、微弱電流シート１ｘが三日月形の形状を有しているため、弾性部３２を図示するようにＴ字状の形状にしている。弾性部３２は、伸縮性のある材料からなり、例えばゴムや伸縮性織物を用いていることができる。
【０１７１】
粘着部３３は弾性部３２の端部に設けられている。使用するときは、粘着部３３を図３５に示す矢印方向に引っ張って肌に貼着する。弾性部３２は伸長して微弱電流シート１ｘを肌に密着させる。微弱電流シート１ｘは押さえパッド３０を有しているため、肌の凹凸に密着することができる。特に、目じり等の目の周辺や、口元などの細かい部位に使用するのに適している。
【０１７２】
図３６は、微弱電流シート１ｘに押さえパッド３０を設けたものの断面図である。押さえパッド３０は柔軟性と弾力性を有する材料からなり、例えばシリコンゴムなどを用いることができる。高い柔軟性と弾力性を兼ね備えた押さえパッド３０を用いることにより、微弱電流シート１ｘを肌に密着させることができる。
【０１７３】
図３７は、図３６のものにさらに貼り付けテープ３１を加えたものの断面図を示している。貼り付けテープ３１は、微弱電流シート１ｘと押さえパッド３０より大きいものとする。貼り付けテープ３１は粘着剤を有し、微弱電流シート１ｘと押さえパッド３０を貼着し、その周縁部が微弱電流シート１ｘと押さえパッド３０の周縁部から延出し、肌に貼着することができる。押さえパッド３０を有することにより、微弱電流シート１ｘは肌に密着することができる。なお、微弱電流シート１ｘの下面に保湿シートを設けるようにしてもよい。
【０１７４】
図３８は、本発明の他の実施形態による微弱電流シートの斜視図（図３８（ａ））と使用状態の説明図（図３８（ｂ））を示している。
【０１７５】
本実施形態の微弱電流シート１ｙは、押さえ補助具３４を有している。押さえ補助具３４は、横長な概略矩形の形状を有し、本体部３５の両端部が立ち上がり部３６と水平部３７を有するように屈曲している。水平部３７は、孔３８を有し、それらの孔３８に紐３９が取り付けられている。紐３９は、好ましくはループ状になっており、ゴム等の弾性を有するものとすることができる。紐３９は柔軟な紐で両端を結べるようなものにしてもよい。
【０１７６】
押さえ補助具３４の本体部３５の底面には微弱電流シート１ｙが取り付けられている。微弱電流シート１ｙは取り替え可能に押さえ補助具３４に貼着されるようにしてもよい。
【０１７７】
この実施形態の微弱電流シート１ｙと押さえ補助具３４は、例えば顔に使用することができ、図３８（ｂ）に示すように、押さえ補助具３４の立ち上がり部３６を利用して鼻４０の横に押さえ補助具３４を配置し、微弱電流シート１ｙを頬などに当てる。しかる後に、紐３９を耳などに掛けるようにする。立ち上がり部３６はある程度の弾性を有しているため、紐３９によって引っ張られることにより、微弱電流シート１ｙを頬などに押し当てることができる。本実施形態によれば、頬などにある程度の圧力で微弱電流シート１ｙを押し当てることができ、微弱電流シート１ｙの浮き上がりを防止することができる。
【０１７８】
図３０から図３４において三日月形の微弱電流シートを示しているが、形状は円形や楕円形などの形状でもかまわないものである。
【０１７９】
図３９は、本発明の他の実施形態による微弱電流シートを示している。図３９（ａ）は本実施形態による微弱電流シート１ｚの構成を分解して示している。図３９（ｂ）は本実施形態による微弱電流シート１ｚの使用状態を示している。図４０は本実施形態による微弱電流シート１ｚの変型例を示している。
【０１８０】
図３９（ａ）に示すように、本実施形態の微弱電流シート１ｚは、正電極片４１と、負電極片４２と、導電片４３とを有している。
【０１８１】
正電極片４１は、絶縁材からなる貼り付けシート２６ｚを有している。貼り付けシート２６ｚは、裏面の全面に粘着剤を有し、導電性材料からなる正電極箔３ｚを貼着している。貼り付けシート２６ｚは、正電極箔３ｚと相似の形状を有し、正電極箔３ｚより大きい寸法を有し、正電極箔３ｚを貼着したときに、正電極箔３ｚの周縁から延出している。これにより、貼り付けシート２６ｚの周縁部で肌等に粘着することにより、正電極箔３ｚを肌等に密着させることができる。貼り付けシート２６ｚは、開口部４９を有し、裏面に正電極箔３ｚを貼着したときに、開口部４９から正電極が表面に露出し、正電極露出部４４になっている。
【０１８２】
一方、負電極片４２も絶縁材からなる貼り付けシート２６ｚを有し、裏面の全面に粘着剤を有している。貼り付けシート２６ｚの裏面にも導電性材料からなる負電極箔４ｚが貼着されている。正電極片４１と同様に、負電極片４２の貼り付けシート２６ｚは負電極箔４ｚより大きい寸法を有し、負電極箔４ｚの周縁から延出しているため、負電極箔４ｚを肌等に貼り付けることができる。負電極片４２の貼り付けシート２６ｚも開口部４９を有し、負電極箔４ｚを貼着したときに、開口部４９から負電極が露出し、負電極露出部４５になっている。
【０１８３】
導電片４３は、正電極片４１と負電極片４２を導通させるための条片であって、絶縁材からなる貼り付けシート４６を有している。貼り付けシート４６は、裏面の全面に粘着剤を有し、導電シート４７を貼着している。貼り付けシート４６は導電シート４７より大きい寸法を有し、特に両端部において導電シート４７の周縁から外側に延在し、導電シート４７を正電極片４１や負電極片４２上に貼り付けられるようになっている。導電片４３の中央部分の裏面には、導電シート４７の両端部を露出させつつ、導電シート４７の両端部の間の部分を絶縁する裏面絶縁部４８が設けられている。
【０１８４】
図３９（ｂ）は、微弱電流シート１ｚを組み立てた使用状態を示している。
【０１８５】
微弱電流シート１ｚを使用するには、正電極片４１と負電極片４２を別々に身体の所望の部位に貼着する。所望の身体の部位とは、微弱電流を流したいと思う部分であり、例えば身体のツボの部分や筋肉が凝った部分である。貼り付けシート２６ｚが正電極箔３ｚや負電極箔４ｚの周縁から延出しているため、正電極箔３ｚや負電極箔４ｚを身体の任意の部分に貼着することができる。
【０１８６】
しかる後に、導電片４３の裏面の導電シート４７の両端部をそれぞれ、正電極箔３ｚの正電極露出部４４と、負電極箔４ｚの負電極露出部４５に合わせて導電片４３を貼着する。このように導電片４３を貼着することにより、正電極箔３ｚと負電極箔４ｚが電気的に接続され、かつ、導電片４３の裏面の中央部分は裏面絶縁部４８によって絶縁され、正電極箔３ｚと負電極箔４ｚが肌等に接触した状態になる。正電極箔３ｚと負電極箔４ｚは電位差を有しているため、身体を介して電池回路が形成され、正電極箔３ｚと負電極箔４ｚの間で微弱な電流が身体に流れるようになる。この微弱電流は、皮膚の表面の角質層を損傷せずに、真皮層以下の細胞組織に流れ、皮膚に対しては美容効果を有し、ツボに対しては生体活動の活性化や病気の治癒や予防の効果を有する。
【０１８７】
本実施形態によれば、導電片４３の導電シート４７の両端部と正電極露出部４４と負電極露出部４５を接続させることができれば、生体電池を形成できるため、正電極片４１と負電極片４２の間の距離に多少のばらつきがあっても、使用することができる。このため、ツボ等の個体間で異なる位置に対応でき、個別にもっとも有効な場所に使用することができる。
【０１８８】
図４０は、微弱電流シート１ｚの変形例を示している。この実施形態による微弱電流シート１ｚｚは、導電片４３ｚｚが異なる他は、図３９（ａ），３９（ｂ）の微弱電流シート１ｚと同様の構成を有している。
【０１８９】
本実施形態の導電片４３ｚｚは正電極片４１と負電極片４２の間の距離の変化に対応できるようになっている。具体的には、導電片４３ｚｚの貼り付けシート４６ｚｚと導電シート４７ｚｚを、アーチ状の湾曲部、あるいは、蛇腹状の屈曲部を有するようにしている。これにより、湾曲部や屈曲部の伸縮によって正電極片４１と負電極片４２の間の距離の変化を吸収することができる。
【０１９０】
あるいは、導電片４３ｚｚの貼り付けシート４６ｚｚと導電シート４７ｚｚを、伸縮性のある部材で構成するようにしてもよい。具体的には例えば、貼り付けシート４６ｚｚを、弾性を有する樹脂材料によって形成し、導電シート４７ｚｚは湾曲する導線を埋設した伸縮性シートによって形成することができる。本実施形態によれば、正電極片４１と負電極片４２の間の距離の変化に合わせて導電片４３ｚｚを伸縮させ、正電極片４１と負電極片４２を導通させることができる。
【０１９１】
またあるいは、正電極露出部４４と負電極露出部４５を横長形状にし、導電シート４７ｚｚの両端部の露出部も少し長く設けるようにしても良い。この方法により、正電極片４１と負電極片４２の間の距離が変化しても、導電シート４７ｚｚと正電極露出部４４と負電極露出部４５の接続部分をずらすことにより、両電極片４１，４２を互いに電気的に接続することができる。これによって、正電極片４１と負電極片４２の間の距離の変化を吸収することができる。
【０１９２】
なお、上記導電片４３と導電片４３ｚｚは、貼り付けシートと導電シートを有する構成としたが、これに限られず、導電片は正電極片と負電極片の導電部を電気的に接続できれば足り、例えば、可撓性の導電体（シート形状でなくても良い）からなり、導電体の表面と正電極片と負電極片に接触する裏面の中央部分が絶縁されているもので良い。
【０１９３】
また、上記正電極箔３ｚと負電極箔４ｚは、貼り付けシート２６ｚの周縁部によって粘着するようになっているが、正電極箔３ｚと負電極箔４ｚ自体に粘着剤を有するようにしても良い。
【０１９４】
さらにまた、上記正電極片４１と負電極片４２は、楕円形状としたが、任意の形状であって良い。また、電極片には保湿材を組み合わせても良い。さらに、保湿剤は例えば正電極側だけの片側としても良い。また、ここでは、二つの電極片を示すが、3個以上の複数の電極片で構成してもよく、導電片は複数の電極片の電極露出部に対応したものとしてもよい。さらには、一連の導電片に３個以上の複数の電極片を連続して連ねてもよい。
【０１９５】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１９６】
微弱電流シート：１、１ａ、１ｂ、１ｃ、１ｄ、１ｅ、１ｆ、１ｇ、１ｈ、１ｉ、１ｊ、１ｋ、１ｍ、１ｎ、１ｐ、１ｑ、１ｒ、１ｓ、１ｔ、１ｕ、１ｖ、１ｗ、１ｘ、１ｙ、１ｚ、１ｚｚ
導電シート：２、２ｂ、２ｃ、２ｇ、２ｊ、２ｋ、２ｍ、２ｎ、２ｐ、２ｑ、４７
正電極箔：３、３ｂ、３ｃ、３ｄ、３ｊ、３ｋ、３ｍ、３ｎ、３ｐ、３ｑ、３ｒ、３ｓ、３ｔ、３ｕ、３ｖ、３ｗ、３ｚ
負電極箔：４、４ｂ、４ｄ、４ｊ、４ｋ、４ｍ、４ｎ、４ｐ、４ｑ、４ｒ、４ｓ、４ｔ、４ｕ、４ｖ、４ｗ、４ｚ
絶縁材：５、５ａ、５ｂ、５ｃ、５ｄ、５ｇ、５ｊ、５ｋ、５ｍ、５ｎ、５ｐ、５ｑ、５ｒ、５ｓ、５ｔ、５ｕ、５ｖ、５ｗ
肌：６
微弱電流：７
電流：７’、８
電子の流れ：９
絶縁材：１０
絶縁シート：１１、１１ｄ、１８、１８ｊ、１８ｋ
導電体：１２
保湿剤：１３
剥離紙：１４、２０
押え板：１５
分離板：１ｇ’
分離体：１６
分離紙：１７
長孔：１８’
粘着剤：１９、３３
床板材：２１
分割絶縁ライン：２２
開口部：２３
正電極露出部：２４、４４
負電極露出部：２５、４５
貼り付けシート：２６、２６ａ、２６ｂ、２６ｃ、２６ｚ、４６
開口部：２７、２８、４９
剥離部：２７’、２８’
周縁糊付け部：２９
中央糊付け部：２９’
押さえパッド：３０
貼り付けテープ：３１
弾性部：３２
押さえ補助具：３４
本体部：３５
立ち上がり部：３６
水平部：３７
孔：３８
紐：３９
鼻：４０
正電極片：４１
負電極片：４２
導電片：４３
裏面絶縁部：４８
【図１】
2019126721.tif 000003
【図２】
2019126721.tif 000004
【図３】
2019126721.tif 000005
【図４】
2019126721.tif 000006
【図５】
2019126721.tif 000007
【図６】
2019126721.tif 000008
【図７】
2019126721.tif 000009
【図８】
2019126721.tif 000010
【図９】
2019126721.tif 000011
【図１０】
2019126721.tif 000012
【図１１】
2019126721.tif 000013
【図１２】
2019126721.tif 000014
【図１３】
2019126721.tif 000015
【図１４】
2019126721.tif 000016
【図１５】
2019126721.tif 000017
【図１６】
2019126721.tif 000018
【図１７】
2019126721.tif 000019
【図１８】
2019126721.tif 000020
【図１９】
2019126721.tif 000021
【図２０】
2019126721.tif 000022
【図２１】
2019126721.tif 000023
【図２２】
2019126721.tif 000024
【図２３】
2019126721.tif 000025
【図２４】
2019126721.tif 000026
【図２５】
2019126721.tif 000027
【図２６】
2019126721.tif 000028
【図２７】
2019126721.tif 000029
【図２８】
2019126721.tif 000030
【図２９】
2019126721.tif 000031
【図３０】
2019126721.tif 000032
【図３１】
2019126721.tif 000033
【図３２】
2019126721.tif 000034
【図３３】
2019126721.tif 000035
【図３４】
2019126721.tif 000036
【図３５】
2019126721.tif 000037
【図３６】
2019126721.tif 000038
【図３７】
2019126721.tif 000039
【図３８】
2019126721.tif 000040
【図３９】
2019126721.tif 000041
【図４０】
2019126721.tif 000042